(57)【要約】【課題】美観に非常に優れるシースルー型の発光表示装置を提供する。【解決手段】方形の枠フレーム２の枠内に、電源部７からの電源を導く極細の電源分岐線３２を一定間隔で縦方向に張設して、電源分岐線３２に沿って前記間隔と同一間隔でチップＬＥＤ５を設け、縦フレーム２１とチップＬＥＤ５とを斜めに結んで駆動信号を導く極細の信号線３３を張設するシースルー型の発光表示装置であって、駆動制御部８は、パーソナルコンピュータ９から入力される調光制御信号に基づき駆動信号を供給して、チップＬＥＤ５を点灯する。【選択図】図１
2005345946.tif 000002
【特許請求の範囲】
【請求項１】
枠フレームの枠内に、電源部からの電源を導く第１の極細導線と駆動制御部からの駆動信号を導く第２の極細導線とを張設し、第１の極細導線と第２の極細導線の交点箇所に、第１の極細導線と第２の極細導線に接続して発光素子を設け、入力される調光制御信号に基づき駆動制御部が駆動信号を供給して、調光制御信号に対応する発光素子を駆動することを特徴とする発光表示装置。
【請求項２】
前記第１の極細導線を一定間隔で縦方向に張設し、第１の極細導線に沿って前記張設した間隔と同間隔で発光素子を配設し、方形の枠フレームの縦フレームと発光素子とを斜めに結んで前記第２の極細導線を張設することを特徴とする請求項１記載の発光表示装置。
【請求項３】
前記第１の極細導線と第２の極細導線を樹脂被覆された導線とし、第１の極細導線を直径０．１ｍｍ〜０．５ｍｍ、第２の極細導線を直径０．０５ｍｍ〜０．３ｍｍとすることを特徴とする請求項１又は２記載の発光表示装置。
【発明の詳細な説明】
【技術分野】
【０００１】
本発明は、発光素子の間にシースルーの領域を有するシースルー型の発光表示装置に関する。
【背景技術】
【０００２】
発光素子の間にシースルーの領域を有するシースルー型の発光表示装置に関連する公知技術に特許文献１がある。特許文献１には、プラスチック製のネットにマトリクス回路用電線をインサート成形し、ネットの各交点にＬＥＤを光源とする表示ドット部を設け、ＬＥＤのリード端子をマトリクス回路用電線に接続し、マトリクス状に配列した表示ドット部で文字表示などを行うＬＥＤ表示装置が開示されている。
【０００３】
【特許文献１】実開平１−１１３２８０号全文明細
【発明の開示】
【発明が解決しようとする課題】
【０００４】
ところで、特許文献１の表示装置は第１図に示されるように、ネット及び表示ドット部が存在する箇所以外ではシースルーであるものの、マトリクス回路用電線がインサート成形されるネットは幅広となり、また、配線板に複数個のＬＥＤが設けられる表示ドット部は大きくなるため、美観に劣る。そのため、より美観に優れるシースルー型の発光表示装置が切望されている。
【０００５】
本発明は上記課題に鑑み提案するものであって、美観に非常に優れるシースルー型の発光表示装置を提供することを目的とする。
【課題を解決するための手段】
【０００６】
本発明の発光表示装置は、枠フレームの枠内に、電源部からの電源を導く第１の極細導線と駆動制御部からの駆動信号を導く第２の極細導線とを張設し、第１の極細導線と第２の極細導線の交点箇所に、第１の極細導線と第２の極細導線に接続して発光素子を設け、入力される調光制御信号に基づき駆動制御部が駆動信号を供給して、調光制御信号に対応する発光素子を駆動することを特徴とする。
【０００７】
更に、本発明の発光表示装置は、第１の極細導線を一定間隔で縦方向に張設し、第１の極細導線に沿って前記張設した間隔と同間隔で発光素子を配設し、方形の枠フレームの縦フレームと発光素子とを斜めに結んで第２の極細導線を張設することを特徴とする。尚、例えば平面的な方形の枠フレームの枠内に、前方に向けてマトリクス状に発光素子を配設する構成以外に、例えば立法体形の枠フレームの各面の枠内に、それぞれ外方に向けてマトリクス状に発光素子を配設する構成や、立法体形の枠フレームの各面の枠内や立方体の内部に、適宜の方向に向けて立体格子状に発光素子を配設する構成など、立体的な枠フレームによる発光表示装置としてもよい。
【０００８】
更に、本発明に於ける第１の極細導線と第２の極細導線は適宜であるが、例えば第１又は第２の極細導線を、直径０ｍｍ超０．５ｍｍｍ以下の樹脂被覆された導線とし、より好ましくは、第１の極細導線と第２の極細導線を樹脂被覆された導線とし、第１の極細導線或いはその導通線を直径０．１ｍｍ〜０．５ｍｍ、第２の極細導線或いはその導通線を直径０．０５ｍｍ〜０．３ｍｍとするとよい。更に、樹脂被覆する導線とする場合に、樹脂の色を黒色等の目立ちにくい色や、設置場所の背景色と同一或いは類似する色とすると好適であり、また、染色や塗装で背景の色の状況等に応じて黒色等に加工した極細線とすると好適である。
【０００９】
尚、発光素子は、例えばチップＬＥＤなど発行ダイオード（ＬＥＤ）とすると好適である。また、アクリル板など透明樹脂や透明ガラスなど透過性の保護板を発光素子や極細導体の前方に設置すると、発光素子や極細導体の保護を図れて好適である。
【発明の効果】
【００１０】
本発明のシースルー型の発光表示装置は、枠内に張設する極細導線で発光素子を支持し、枠内には発光素子と極細導線が設けられる構成であるから、発光素子が枠内で恰も宙に浮いている様に見える状態で点灯し、非常に優れた美観が得られる。更に、枠内で極細導線により発光素子を支持する構成であるから、非常に低コストで製造することができると共に、枠形状や導線を張設する形態や発光素子の配設形態を様々に変更して多様な形態の発光表示装置を簡単に構成することができる。更に、極細導線の長さや発光素子の個数や発光素子の間隔を柔軟且つ簡単に調整することが可能であり、大型から小型まで適宜の大きさの発光表示装置や、至近距離から遠距離など適宜の視認距離やその視認距離でのアイキャッチに適する発光表示装置を構成することができる。
【００１１】
更に、枠内に一定間隔で縦方向に張設する極細導線で発光素子を支持することで、発光素子の位置精度を高め且つ安定した状態で設置することができ、また、斜めに張設する極細導線を発光素子に接続することで、極細導線同士が重なって太く見えるようなこともなく、良好な美観を確保することができる。更に、二次元的に発光表示を行う発光表示装置や、三次元的に発光表示を行う発光表示装置とすることも可能である。
【発明を実施するための最良の形態】
【００１２】
本発明のシースルー型の発光表示装置の実施形態について説明する。
【００１３】
本実施形態の発光表示装置１は、図１に示すように、縦フレーム２１と横フレーム２２で構成される方形の枠フレーム２を有し、基台６の上部に複数段の枠フレーム２が縦方向に並べて設けられ、概略梯子状になっている。枠フレーム２の上の横フレーム２２内には、電源共通線３１が横フレーム２２に沿って設けられ、枠フレーム２の下の横フレーム２２内には、接地共通線３３が横フレーム２２に沿って設けられており、電源共通線３１と接地共通線３２は、図に省略した縦フレーム２１内の配線により、駆動制御部８及びこれと接続された電源部７に接続されている。
【００１４】
電源共通線３１と接地共通線３３との間には、両共通線３１、３３に接続して縦方向に延びる電源分岐線３２が張設され、電源分岐線３２は横方向に一定間隔で複数本、本実施形態は１６本垂設されている。電源分岐線３２は、例えば銅線等の導通線が黒色や透明等の合成樹脂で被覆された直径約０．５ｍｍの極細のホルマル線等とする。電源分岐線３２上にはチップＬＥＤ５が設けられ、チップＬＥＤ５は、電源分岐線３２相互の間隔と略同一間隔で電源分岐線３２に沿って実装されており、一つの枠フレーム２の枠内には１６×１６のチップＬＥＤ５が縦横にマトリクス状に配設されている。
【００１５】
各チップＬＥＤ５には、縦フレーム２１から斜め方向に延びる信号線４が接続されており、信号線４は縦フレーム２１に固着され、縦フレーム２１とチップＬＥＤ５との間に張設される。信号線４は、縦フレーム２１から各チップＬＥＤ５に略同一の傾斜角度で張設されており、水平方向に並ぶ一行のチップＬＥＤ５の１６個のうち片側の縦フレーム２１に近い方の８個のチップＬＥＤ５には、前記片側の縦フレーム２１からそれぞれ信号線４が張設されている。更に、１行目と２行目の信号線４、３行目と４行目の信号線４、５行目と６行目の信号線４、７行目と８行目の信号線４にそれぞれ対応して接続されるコネクタ４ａが縦フレーム２１内に設けられており、コネクタ４ａは図に省略した縦フレーム２１内のコネクタ及び配線により駆動制御部８に接続されている。尚、信号線４も、電源分岐線３２とほぼ同様に、例えば合成樹脂で被覆された極細のホルマル線とし、直径約０．１ｍｍ等とする。
【００１６】
尚、電源分岐線３２相互の配設間隔や信号線４相互の配設間隔は、モアレを防止するために、間隔をそれぞれ等しくしている。
【００１７】
駆動制御部８は、電源部７から電源を供給されると共に、一部を配線を介して電源共通線３１に供給する。更に、駆動制御部８は、パーソナルコンピュータ９に接続されると共に、各チップＬＥＤ５を個々に駆動する駆動制御回路を備える。駆動制御部８は、パーソナルコンピュータ９から入力される調光制御信号に基づき、調光制御信号が入力された駆動制御回路から対応するチップＬＥＤ５に駆動信号を供給し、前記駆動信号に対応するチップＬＥＤ５が点灯して、所定の模様、色彩、絵、文字等が表示される構成である。
【００１８】
パーソナルコンピュータ９は、所定の制御プログラムに従う制御部、制御プログラムや、縦横配列のチップＬＥＤ５で構成される画素領域や、設定や入力した画像データ及び前記画像データに対応する所定画素の表示データ等を記憶する記憶部、ディスプレイ等の画像表示部、キーボードやマウス等の入力部、送受信部等を備えるものであり、所望の画像を入力或いは設定し、前記制御部が、その画像に対応する所定画素の表示データを生成し、駆動制御部８に送信するようになっている。尚、調光制御信号を入力する機器はパーソナルコンピュータ９以外のコンピュータなど適宜である。
【００１９】
本実施形態のシースルー型の発光表示装置１は、例えば約１．２ｍ前後以上離れた場所から見た場合に配線を全く意識させることがなく、美観に非常に優れる。
【産業上の利用可能性】
【００２０】
本発明の発光表示装置は、例えば施設や店舗等に設置し、広告媒体や顧客誘因手段として利用することができる。
【図面の簡単な説明】
【００２１】
【図１】実施形態の発光表示装置を示す正面説明図。
【符号の説明】
【００２２】
１  発光表示装置
２  枠フレーム
２１  縦フレーム
２２  横フレーム
３１  電源共通線
３２  電源分岐線
３３  接地共通線
４  信号線
４ａ  コネクタ
５  チップＬＥＤ
６  基台
７  電源部
８  駆動制御部
９  パーソナルコンピュータ
【図１】
2005345946.tif 000003